【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】
アプリケーションを動作させるホストがネットワークを介して接続する複数のディスクアレイ装置と、前記ディスクアレイ装置を監視する管理サーバとを有するストレージシステムであって、
前記ディスクアレイ装置は、物理ディスクの異常を検出する物理ディスク異常検出手段を備え、
前記管理サーバは、前記アプリケーションと、前記アプリケーションが使用する論理ボリュームと、この論理ボリュームに対応する物理ディスクとの対応関係を記憶しており、
前記管理サーバは、
前記ディスクアレイ装置の前記物理ディスク異常検出手段が前記物理ディスクの異常を検知すると、前記対応関係に応じて、異常の生じた前記物理ディスクに対応した前記論理ボリュームを使用する前記アプリケーションを検出するアプリケーション検出手段を備える、
ことを特徴とするストレージシステム。
【請求項２】
前記管理サーバは、前記アプリケーション検出手段によって検出された前記アプリケーションに関する情報をユーザの端末へ通知するアプリケーション通知手段を備えることを特徴とする請求項１に記載のストレージシステム。
【請求項３】
前記管理サーバの記憶している前記対応関係には、前記アプリケーションのジョブの実行の優先度が設定されており、
前記管理サーバは、前記ディスクアレイ装置の前記物理ディスク異常検出手段が前記物理ディスクの異常を検知すると、異常の生じた前記物理ディスクを使用する前記アプリケーションのジョブの実行の優先度に応じ、該アプリケーションの処理能力を割り当てるアプリケーション処理能力割当手段を備えることを特徴とする請求項１に記載のストレージシステム。
【請求項４】
前記管理サーバは、前記ディスクアレイ装置の前記物理ディスク異常検出手段が前記物理ディスクの異常を検知すると、異常の生じた前記物理ディスクを使用する前記アプリケーションのジョブの実行の優先度を上げることを特徴とする請求項３に記載のストレージシステム。
【請求項５】
前記管理サーバの前記アプリケーション処理能力割当手段は、ユーザの操作入力に応じて前記アプリケーションの処理能力を割り当てることを特徴とする請求項３に記載のストレージシステム。
【請求項６】
前記管理サーバは、少なくとも、前記アプリケーション検出手段によって検出された前記アプリケーションと、このアプリケーションが使用する前記ディスクアレイ装置と、前記アプリケーションに割り当てられた処理能力とに関するアプリケーション情報をディスプレイの画面に表示するアプリケーション情報表示手段を備えることを特徴とする請求項１に記載のストレージシステム。
【請求項７】
アプリケーションを動作させるホストがネットワークを介して接続する複数のディスクアレイ装置と、前記ディスクアレイ装置を監視する管理サーバとを有するストレージシステムであって、
前記ディスクアレイ装置は、物理ディスクの異常を検出する物理ディスク異常検出手段を有し、
前記管理サーバは、前記ディスクアレイ装置の前記物理ディスク異常検出手段が前記物理ディスクの異常を検知すると、対応するミラーリング側のディスクを前記アプリケーションの使用対象とするミラーリング側ディスク切替手段を備えることを特徴とするストレージシステム。
【請求項８】
アプリケーションを動作させるホストがネットワークを介して接続する複数のディスクアレイ装置と、前記ディスクアレイ装置を監視する管理サーバとを有するストレージシステムであって、
前記ディスクアレイ装置は、物理ディスクの異常を検出する物理ディスク異常検出手段を有し、
前記管理サーバは、前記ディスクアレイ装置の前記物理ディスク異常検出手段が前記物理ディスクの異常を検知すると、前記ディスクアレイ装置内の未使用ディスク領域に新たな論理ボリュームを割り当てて内部コピー処理を実行し、この新たな論理ボリュームを前記アプリケーションの使用対象とする内部コピー切替手段を備えることを特徴とするストレージシステム。
【請求項９】
アプリケーションを動作させるホストがネットワークを介して接続するとともに、物理ディスクの異常を検出する物理ディスク異常検出手段を備える複数のディスクアレイ装置を監視する管理サーバであって、
前記アプリケーションと、前記アプリケーションが使用する論理ボリュームと、この論理ボリュームに対応する物理ディスクとの対応関係を記憶しており、
前記ディスクアレイ装置の前記物理ディスク異常検出手段が前記物理ディスクの異常を検知すると、前記対応関係に応じて、異常の生じた前記物理ディスクに対応した前記論理ボリュームを使用する前記アプリケーションを検出するアプリケーション検出手段を備えることを特徴とする管理サーバ。
【請求項１０】
前記アプリケーション検出手段によって検出された前記アプリケーションに関する情報をユーザの端末へ通知するアプリケーション通知手段を備えることを特徴とする請求項９に記載の管理サーバ。
【請求項１１】
前記対応関係には、前記アプリケーションのジョブの実行の優先度が設定されており、
前記ディスクアレイ装置の前記物理ディスク異常検出手段が前記物理ディスクの異常を検知すると、異常の生じた前記物理ディスクを使用する前記アプリケーションのジョブの実行の優先度に応じ、該アプリケーションの処理能力を割り当てるアプリケーション処理能力割当手段を備えることを特徴とする請求項９に記載の管理サーバ。
【請求項１２】
前記ディスクアレイ装置の前記物理ディスク異常検出手段が前記物理ディスクの異常を検知すると、異常の生じた前記物理ディスクを使用する前記アプリケーションのジョブの実行の優先度を上げることを特徴とする請求項１１に記載の管理サーバ。
【請求項１３】
前記アプリケーション処理能力割当手段は、ユーザの操作入力に応じて前記アプリケーションの処理能力を割り当てることを特徴とする請求項１１に記載の管理サーバ。
【請求項１４】
少なくとも、前記アプリケーション検出手段によって検出された前記アプリケーションと、このアプリケーションが使用する前記ディスクアレイ装置と、前記アプリケーションに割り当てられた処理能力とに関するアプリケーション情報をディスプレイの画面に表示するアプリケーション情報表示手段を備えることを特徴とする請求項９に記載の管理サーバ。
【請求項１５】
アプリケーションを動作させるホストがネットワークを介して接続するとともに、物理ディスクの異常を検出する物理ディスク異常検出手段を備え、ミラーリングが実行可能な複数のディスクアレイ装置を監視する管理サーバであって、
前記ディスクアレイ装置の前記物理ディスク異常検出手段が前記物理ディスクの異常を検知すると、対応する前記ミラーリング側のディスクを前記アプリケーションの使用対象とするミラーリング側ディスク切替手段を備えることを特徴とする管理サーバ。
【請求項１６】
アプリケーションを動作させるホストがネットワークを介して接続するとともに、物理ディスクの異常を検出する物理ディスク異常検出手段を備える複数のディスクアレイ装置を監視する管理サーバであって、
前記ディスクアレイ装置の前記物理ディスク異常検出手段が前記物理ディスクの異常を検知すると、前記ディスクアレイ装置内の未使用ディスク領域に新たな論理ボリュームを割り当てて内部コピー処理を実行し、この新たな論理ボリュームを前記アプリケーションの使用対象とする内部コピー切替手段を備えることを特徴とする管理サーバ。
【請求項１７】
アプリケーションを動作させるホストがネットワークを介して接続する複数のディスクアレイ装置を監視する管理サーバによるアプリケーションの管理方法であって、
前記管理サーバは、前記アプリケーションと、前記アプリケーションが使用する論理ボリュームと、この論理ボリュームに対応する物理ディスクとの対応関係を記憶しており、
前記ディスクアレイ装置が前記物理ディスクの異常を検知すると、前記管理サーバは、前記対応関係に応じて、異常の生じた前記物理ディスクに対応した前記論理ボリュームを使用する前記アプリケーションを検出することを特徴とするアプリケーションの管理方法。
【請求項１８】
前記管理サーバが、検出された前記アプリケーションに関する情報をユーザの端末へ通知することを特徴とする請求項１７に記載のアプリケーションの管理方法。
【請求項１９】
前記対応関係には、前記アプリケーションのジョブの実行の優先度が設定されており、
前記ディスクアレイ装置が前記物理ディスクの異常を検知すると、前記管理サーバが、異常の生じた前記物理ディスクを使用する前記アプリケーションのジョブの実行の優先度に応じ、該アプリケーションの処理能力を割り当てることを特徴とする請求項１７に記載のアプリケーションの管理方法。
【請求項２０】
前記ディスクアレイ装置が前記物理ディスクの異常を検知すると、前記管理サーバが、異常の生じた前記物理ディスクを使用する前記アプリケーションのジョブの実行の優先度を上げることを特徴とする請求項１９に記載のアプリケーションの管理方法。
【請求項２１】
前記管理サーバが、ユーザの操作入力に応じて前記アプリケーションの処理能力を割り当てることを特徴とする請求項１９に記載のアプリケーションの管理方法。
【請求項２２】
前記管理サーバが、少なくとも、検出された前記アプリケーションと、このアプリケーションが使用する前記ディスクアレイ装置と、前記アプリケーションに割り当てられた処理能力とに関するアプリケーション情報をディスプレイの画面に表示することを特徴とする請求項１７に記載のアプリケーションの管理方法。
【請求項２３】
アプリケーションを動作させるホストがネットワークを介して接続するとともに、ミラーリングが実行可能な複数のディスクアレイ装置を監視する管理サーバによるアプリケーションの管理方法であって、
前記ディスクアレイ装置が前記物理ディスクの異常を検知すると、前記管理サーバは、対応する前記ミラーリング側のディスクを前記アプリケーションの使用対象とすることを特徴とするアプリケーションの管理方法。
【請求項２４】
アプリケーションを動作させるホストがネットワークを介して接続するとともに、物理ディスクの異常を検出する複数のディスクアレイ装置を監視する管理サーバによるアプリケーションの管理方法であって、
前記ディスクアレイ装置が前記物理ディスクの異常を検知すると、前記管理サーバは、前記ディスクアレイ装置内の未使用ディスク領域に新たな論理ボリュームを割り当てて内部コピー処理を実行し、この新たな論理ボリュームを前記アプリケーションの使用対象とすることを特徴とするアプリケーションの管理方法。